【手続補正書】
【提出日】平成16年9月24日(2004.9.24)
【手続補正１】
【補正対象書類名】明細書
【補正対象項目名】特許請求の範囲
【補正方法】変更
【補正の内容】
【特許請求の範囲】
【請求項１】
２線式現場取付け可能プロセス装置であって、
２線式ループに連結可能であり、且つ前記２線式ループから受け取った電力で前記プロセス装置を完全に付勢するように適合された電力モジュールと、
前記電力モジュールへ連結され、フィールドバスまたはプロフィバスプロトコルに従って前記２線式ループ上で通信するように前記２線式ループへ連結可能であり、前記ループに出力を与えるように構成されたループ通信機と、
前記ループ通信機と電力モジュールへ連結されたコントローラと、
前記コントローラへ動作上連結され、少なくとも第１のセンサへ連結するように構成されて第１のセンサ入力を受けるように構成された第１の入力接続と、
前記コントローラへ動作上連結され、第２のセンサへ連結するように構成されて第２のセンサ入力を受けるように構成された第２の入力接続とを備え、
前記第１の入力接続と第２の入力接続は、互いにかつ前記２線式ループから実質的に電気絶縁されている２線式現場取付け可能なプロセス装置。
【請求項２】
前記第１のセンサは第１のタイプであり、前記第２のセンサは第２のタイプであり、前記第１のタイプと第２のタイプは異なる請求項１のプロセス装置。
【請求項３】
前記第１のタイプは熱電対である請求項２のプロセス装置。
【請求項４】
前記第１のタイプは抵抗温度装置である請求項２のプロセス装置。
【請求項５】
前記第１の入力接続と前記コントローラへ動作上連結され、少なくとも１つの第１のセンサ入力からのアナログ信号を第１の変換レートで少なくとも１つのデジタル値に変換し、デジタル信号を前記コントローラに伝達する第１のアナログ―デジタル変換器と、
前記第２の入力接続と前記コントローラへ動作上連結され、少なくとも１つの第２のセンサ入力からのアナログ信号を第２の変換レートで少なくとも１つのデジタル値に変換し、デジタル信号を前記コントローラに伝達する第２のアナログ―デジタル変換器とを更に備え、前記第１と第２の変換レートは異なる請求項１のプロセス装置。
【請求項６】
前記第１の変換レートは、前記第１の入力接続に連結されたセンサのタイプに関連する請求項５のプロセス装置。
【請求項７】
前記第２の変換レートは、前記第２の入力接続に連結されたセンサのタイプに関連する請求項６のプロセス装置。
【請求項８】
前記第１および第２のセンサの少なくとも１つは温度センサである請求項１のプロセス装置。
【請求項９】
前記第１の入力接続へ連結されたマルチプレクサと、
前記マルチプレクサを通して前記第１の入力接続と動作上連結され、前記コントローラと動作上接続され、少なくとも１つの第１のセンサ入力からのアナログ信号を第１の変換レートで少なくとも１つのデジタル値に変換し、デジタル信号を前記コントローラに伝達するように構成されたアナログ―デジタル変換器とを更に備えた請求項１のプロセス装置。
【請求項１０】
前記コントローラはプログラムに従って動作する請求項１のプロセス装置。
【請求項１１】
前記プログラムは変更可能である請求項１０のプロセス装置。
【請求項１２】
前記プログラムは前記プロセス装置または前記２線式ループにアクセスすることによって変更可能である請求項１０のプロセス装置。
【請求項１３】
前記プログラムは入力を出力に関連付ける請求項１０のプロセス装置。
【請求項１４】
前記コントローラはセンサ入力に基づいてプロセス変数を計算する請求項１２のプロセス装置。
【請求項１５】
前記プロセス装置は、ＤＩＮ標準に従うものである請求項１のプロセス装置。
【請求項１６】
前記プロセス装置は、本質的な安全仕様に従う請求項１のプロセス装置。
【請求項１７】
前記コントローラへ動作上連結され、第３のセンサに連結するように構成されて第３のセンサ入力を受けるように構成された第３の入力接続を含む請求項１のプロセス装置。
【請求項１８】
前記第１の入力または前記第２の入力または前記第３の入力を選択的に前記コントローラに連結するように構成されたマルチプレクサを含む請求項１７のプロセス装置。
【請求項１９】
前記マルチプレクサの出力と前記コントローラに連結され、前記コントローラにデジタル信号を与えるように構成されたアナログ−デジタル変換器を含む請求項１８のプロセス装置。
【請求項２０】
前記ループ通信機は絶縁回路を含む請求項１のプロセス装置。
【請求項２１】
前記電力モジュールは前記第１の入力接続の回路と前記第２の入力接続の回路を付勢するように構成された請求項１のプロセス装置。
【請求項２２】
２線式現場取付け可能プロセス装置であって、
２線式ループに連結可能であり、且つ前記２線式ループから受け取った電力で前記プロセス装置を完全に付勢するように適合された電力モジュールと、
前記電力モジュールへ連結され、前記２線式ループ上で通信するように前記２線式ループへ連結可能なループ通信機と、
コントローラと、
少なくとも第１のセンサへ連結するように構成されて第１のセンサ入力を受けるように構成された第１の入力接続と、
第２のセンサへ連結するように構成されて第２のセンサ入力を受けるように構成された第２の入力接続と、
第３のセンサへ連結するように構成されて第３のセンサ入力を受けるように構成された第３の入力接続と、
前記第１のセンサ入力または第２のセンサ入力または第３のセンサ入力を選択的に前記コントローラに連結するように構成されたマルチプレクサと、
前記マルチプレクサの出力に連結され、前記コントローラの入力に連結されて、コントローラにデジタル信号を与えるように構成されたアナログ−デジタル変換器とを備え、
前記ループ通信機からの前記２線式ループ上の出力が、第１、第２または第３のセンサ入力の少なくとも１つに関連し、
少なくとも前記第１の入力接続と第２の入力接続は、互いにかつ前記２線式ループから実質的に電気絶縁されている２線式現場取付け可能なプロセス装置。
【請求項２３】
前記第１のセンサは第１のタイプであり、前記第２のセンサは第２のタイプであり、前記第１のタイプと第２のタイプは異なる請求項２２のプロセス装置。
【請求項２４】
前記第１のタイプは熱電対である請求項２２のプロセス装置。
【請求項２５】
前記第１のタイプは抵抗温度装置である請求項２２のプロセス装置。
【請求項２６】
前記第１の入力接続と前記コントローラへ動作上接続された第１のアナログ−デジタル変換器と、前記第２の入力接続と前記コントローラへ動作上連結された第２のアナログ−デジタル変換器を備えた請求項２２のプロセス装置。
【請求項２７】
前記センサの少なくとも１つは温度センサである請求項２２のプロセス装置。
【請求項２８】
前記コントローラはプログラムに従って動作する請求項２２のプロセス装置。
【請求項２９】
前記プログラムは変更可能である請求項２８のプロセス装置。
【請求項３０】
前記プログラムは前記プロセス装置または前記２線式ループにアクセスすることによって変更可能である請求項２９のプロセス装置。
【請求項３１】
前記プログラムは入力を出力に関連付ける請求項２８のプロセス装置。
【請求項３２】
前記コントローラはセンサ入力に基づいてプロセス変数を計算する請求項２８のプロセス装置。
【請求項３３】
前記プロセス装置は、ＤＩＮ標準に従うものである請求項２２のプロセス装置。
【請求項３４】
前記プロセス装置は、本質的な安全仕様に従う請求項２２のプロセス装置。
【請求項３５】
前記ループ通信機は絶縁回路を含む請求項２２のプロセス装置。
【請求項３６】
前記電力モジュールは前記第１の入力接続の回路と前記第２の入力接続の回路と第３の入力接続の回路を付勢するように構成された請求項２２のプロセス装置。
【請求項３７】
２線式現場取付け可能プロセス装置であって、
２線式ループに連結可能であり、且つ前記２線式ループから受け取った電力で前記プロセス装置を完全に付勢するように適合された電力モジュールと、
前記電力モジュールへ連結され、デジタルプロトコルに従って前記２線式ループ上で通信するように前記２線式ループへ連結可能であり、前記ループに出力を与えるように構成されたループ通信機と、
前記ループ通信機と前記電力モジュールへ連結されたコントローラと、
前記コントローラへ動作上連結され、少なくとも第１のセンサへ連結するように構成されて第１のセンサ入力を受けるように構成された第１の入力接続と、
前記コントローラへ動作上連結され、第２のセンサへ連結するように構成されて第２のセンサ入力を受けるように構成された第２の入力接続とを備え、
前記第１の入力接続と第２の入力接続は、互いにかつ前記２線式ループから実質的に電気絶縁されている２線式現場取付け可能なプロセス装置。
【請求項３８】
前記デジタルプロトコルはフィールドバスプロトコルからなる請求項３７のプロセス装置。
【請求項３９】
前記デジタルプロトコルはプロフィバスプロトコルからなる請求項３７のプロセス装置。
【請求項４０】
前記電力モジュールは前記第１の入力接続の回路と前記第２の入力接続の回路を付勢するように構成された請求項３７のプロセス装置。
【請求項４１】
２線式現場取付け可能プロセス装置であって、
２線式ループに連結可能であり、且つ前記２線式ループから受け取った電力で前記プロセス装置を完全に付勢するように適合された電力モジュールと、
前記電力モジュールへ連結され、前記２線式ループ上で通信するように前記２線式ループへ連結可能なループ通信機と、
前記ループ通信機と前記電力モジュールへ連結されたコントローラと、
前記コントローラへ動作上連結され、少なくとも第１のセンサへ連結するように構成されて第１のセンサ入力を受けるように構成された第１の入力接続と、
前記コントローラへ動作上連結され、第２のセンサへ連結するように構成されて第２のセンサ入力を受けるように構成された第２の入力接続とを備え、
前記第１の入力接続と第２の入力接続は、互いに実質的に電気絶縁されており、
前記第１の入力接続の回路と前記第２の入力接続の回路は、前記電力モジュールで付勢される２線式現場取付け可能なプロセス装置。
【請求項４２】
前記コントローラへ動作上連結され、第３のセンサに連結するように構成されて第３のセンサ入力を受けるように構成された第３の入力接続を含む請求項４１のプロセス装置。
【請求項４３】
前記第１の入力または前記第２の入力または前記第３の入力を選択的に前記コントローラに連結するように構成されたマルチプレクサを含む請求項４２のプロセス装置。
【請求項４４】
前記マルチプレクサの出力と前記コントローラに連結され、前記コントローラにデジタル信号を与えるように構成されたアナログ−デジタル変換器を含む請求項４３のプロセス装置。
【請求項４５】
前記電力モジュールは前記第３の入力接続の回路を付勢するように構成された請求項４２のプロセス装置。